(57)【要約】【課題】不適当なコネクタの挿着を防止できる電気コネクタを提供する。【解決手段】本発明は、絶縁ハウジングと、前記絶縁ハウジングに保持される複数の導電端子と、前記絶縁ハウジングの外周をほぼ包囲する外部シールドと、を含む電気コネクタにおいて、前記絶縁ハウジングはベース部と、該ベース部の先端壁から前向きに延在する支持舌状部と、を含み、前記導電端子は、前記支持舌状部に収容される接触部を含み、前記外部シールドは、天板と、底板と、前記天板及び前記底板を連接する側板と、を含み、前記天板と、前記底板と、前記側板とが相手コネクタを収容するための挿入口を有する収容空間を形成し、前記外部シールドの底板は、少なくともの二つの板部から成り、該板部それぞれが、異なる高さに位置している電気コネクタを提供する。【選択図】図３
2010129540.tif 000002
【特許請求の範囲】
【請求項１】
絶縁ハウジングと、
前記絶縁ハウジングに保持される複数の導電端子と、
前記絶縁ハウジングの外周をほぼ包囲する外部シールドと、
を含む電気コネクタにおいて、
前記絶縁ハウジングは、ベース部と、該ベース部の先端壁から前向きに延在する支持舌状部とを含み、
前記導電端子は、前記支持舌状部に収容される接触部を含み、
前記外部シールドは、天板と、底板と、前記天板及び前記底板を連接する側板と、を含み、前記天板と、前記底板と、前記側板とが相手コネクタを収容するための挿入口を有する収容空間を形成し、
前記外部シールドの底板は、少なくともの二つの板部から成り、該板部それぞれが、異なる高さに位置していることを特徴とする電気コネクタ。
【請求項２】
前記底板は、前記側板にそれぞれ連接する第一板部と、前記収容空間へ突出するように形成された第三板部と、前記各第一板部と前記第三板部とを連接する第二板部とを含んでいることを特徴とする請求項１に記載の電気コネクタ。
【請求項３】
前記第一板部と前記第三板部とは水平状に配置され、前記第三板部は前記第一板部よりも前記天板に近接するように配置され、前記第二板部は斜めに延出して、前記第一板部及び前記第三板部を連接していることを特徴とする請求項２に記載の電気コネクタ。
【請求項４】
前記外部シールドは金属板からなり、前記底板に継ぎ目が形成され、前記底板が前記継ぎ目を中心として対称に配置されることを特徴とする請求項２に記載の電気コネクタ。
【請求項５】
前記第三板部には、回路基板への向きに屈曲して延出する延出部が設けられ、前記継ぎ目が前記第三板部の中央部に設けられることを特徴とする請求項４に記載の電気コネクタ。
【発明の詳細な説明】
【技術分野】
【０００１】
本発明は、電気コネクタに関し、特に、相手コネクタと回路基板上の回路とを導電接続するための電気コネクタに関する。
【背景技術】
【０００２】
今、多くの電子製品には、外部の設備と接続するための色々なコネクタが、普通に配置されている。電子製品の小型化に伴って、電気コネクタも小型になってきている。一般に、電子製品に使用される電気コネクタは、絶縁本体と、該絶縁本体に装着される複数の導電端子と、前記絶縁本体を覆って、静電気を防止できる金属シェルとを含み、前記金属シェルは角筒状であり、相手コネクタが挿入される嵌合口を有する嵌合空間が形成されている。
【先行技術文献】
【特許文献】
【０００３】
【特許文献１】特許第３６２９１６８号明細書
【発明の概要】
【発明が解決しようとする課題】
【０００４】
電気コネクタが小型になると同時に、相手コネクタとの嵌合口も小さくなる。電子製品には、相手コネクタの嵌合口形状に似た複数のコネクタが配置されるので、使用者が誤挿着をして、コネクタの嵌合口を損傷させる恐れがあった。また、従来の電気コネクタの金属シェルは、不適当なコネクタを挿着すると、回路基板に対向する面の継ぎ目が裂ける恐れがあった。そこで、以上の欠点を鑑みて、新型の電気コネクタを開発することが必要である。
【０００５】
本発明は上記問題点を解消するためになされたものであり、不適当なコネクタの挿着を防止できる電気コネクタを提供することを目的とする。
【課題を解決するための手段】
【０００６】
前記課題を解決するために、本発明は、絶縁ハウジングと、前記絶縁ハウジングに保持される複数の導電端子と、前記絶縁ハウジングの外周をほぼ包囲する外部シールドと、を含む電気コネクタにおいて、前記絶縁ハウジングは、ベース部と、該ベース部の先端壁から前向きに延在する支持舌状部と、を含み、前記導電端子は、前記支持舌状部に収容される接触部を含み、前記外部シールドは、天板と、底板と、前記天板及び前記底板を連接する側板と、を含み、前記天板と、前記底板と、前記側板とが相手コネクタを収容するための挿入口を有する収容空間を形成し、前記外部シールドの底板は、少なくともの二つの板部から成り、該板部それぞれが、異なる高さに位置していることを特徴とする電気コネクタを提供する。
【発明の効果】
【０００７】
本発明の電気コネクタにおける外部シールドの底板は、少なくともの二つの板部から成り、それぞれ、異なる高さに位置している。従って、収容空間の挿入口の形状が制限され、不適当なコネクタの挿入を防止でき、使用者にとって便利になっている。
【図面の簡単な説明】
【０００８】
【図１】本発明に係る電気コネクタの組立斜視図である。
【図２】図１に示す電気コネクタを他の角度から見た斜視図である。
【図３】図１に示す電気コネクタの正面図である。
【図４】本発明に係る電気コネクタの分解斜視図である。
【図５】図４に示す電気コネクタを他の角度から見た分解斜視図である。
【発明を実施するための形態】
【０００９】
以下、図１〜図５を参照しながら、本発明の電気コネクタ１００の好ましい実施形態について説明する。本発明の電気コネクタ１００は、回路基板（図示せず）に実装されるとともに、相手コネクタと嵌合できるものであって、絶縁ハウジング１と、絶縁ハウジング１に装着される複数の導電端子２と、絶縁ハウジング１をほぼ包囲する外部シールド３と、絶縁ハウジング１の後端部を覆う金属カバー４とを含んでいる。
【００１０】
前記絶縁ハウジング１は、ベース部１１を含み、該ベース部１１は、先端壁１１０と、先端壁１１０に対向する後壁１１３と、先端壁１１０及び後壁１１３を連接するための頂壁１１１及び側壁１１２とを含んでいる。前記頂壁１１１には保持溝１１１０が凹んで形成され、保持溝１１１０の底部と、頂壁１１１と、側壁１１２とには凸状リブ１１７がそれぞれ形成されている。後壁１１３と連接する各側壁１１２の上下方向隅部には、当接凸部１１６がそれぞれ外部へ突出するように形成されている。
【００１１】
ベース部１１には、先端壁１１０から前向きに延出する支持舌状部１２が形成され、該支持舌状部１２の下壁には、ベース部１１を貫通する複数の端子溝１２１が形成されている。前記保持溝１１１０及び支持舌状部１２の頂壁は、ほぼ同一平面に配置されている。また、ベース部１１の底部には、前向きに延在する補強板１３が設けられており、該補強板１３及び支持舌状部１２は、互いに平行に配置されている。補強板１３の底面には、相手コネクタの挿入方向に沿って延在する凸状リブ１３１が形成されている。従って、電気コネクタ１００が回路基板に実装される際に、凸状リブ１３１だけに回路基板が当接することで、絶縁ハウジング１の組立て精度を向上できる。さらに、ベース部１１の後壁１１３に複数の貫通溝１１４を形成することによって、電気コネクタ１００の重さを低減させることができる。補強板１３とベース部１１とが連接する箇所には、前記外部シールド３を保持するため、長手方向に沿って延出している保持溝１１８が形成されている。
【００１２】
複数の導電端子２は、五本の接地端子と、五本の接地端子の間に配置される四対の差動信号端子とを含み、四対の差動信号端子は、その三対の差動信号端子が声音及び映像のデータを伝送することに用いられ、他の一対の差動信号端子が双方向データを伝送することに用いられる。
【００１３】
各導電端子２は、支持舌状部１２の端子溝１２１に露出して収容される接触部２１と、ベース部１１に保持される保持部２２と、保持部２２から下向きに折曲がって延在する連接部２３と、連接部２３から延在し、回路基板に接続される接続部２４と、を含んでいる。導電端子２は、全て、支持舌状部１２の下壁に配置され、支持舌状部１２の厚さが薄く、また、支持舌状部１２は下壁だけに端子溝１２１が形成されているので、支持舌状部１２の強度が保証される。導電端子２の連接部２３は、前記貫通溝１１４に対応しているので、連接部２３及び絶縁ハウジング１間の接触面積が減少し、導電端子２のインピーダンスが低減され、導電端子２の伝送速度を高めている。導電端子２の接続部２４と、絶縁ハウジング１の凸状リブ１３１とは、同一平面に配置されるので、接続部２４の平面度が保証され、電気コネクタ１００を回路基板に実装する作業が容易になる。
【００１４】
前記外部シールド３は、同一の金属板で打ち抜き成型されており、絶縁ハウジング１をほぼ包囲するものであって、天板３１と、底板３２と、天板３１及び底板３２を連接する側板３３とを含んでいる。
【００１５】
前記天板３１、底板３２、及び側板３３は、相手コネクタを収容するための挿入口（参照符号なし）を有する収容空間３４を形成し、天板３１、底板３２、及び側板３３には、それぞれ、収容空間３４の向きに突出するように、相手コネクタを押圧するための弾性片３５が形成されている。側板３３は、先端から外部への向きに折曲がる折曲部３３１と、折曲部３３１から後向きに延在する平板部３３２と、平板部３３２から下向きに延在する第一保持脚３３３とを含んでいる。前記平板部３３２が側板３３と平行に設けられているので、第一保持脚３３３の平面も側板３３と平行に配置されている。勿論、他の実施状態において、第一保持脚３３３が、側板３３から直ちに下向きに延在するように形成されても良い。
【００１６】
底板３２には、側板３３にそれぞれ連接する第一板部３２１と、第一板部３２１から、それぞれ前記収容空間へ向けて斜めに延出している第二板部３２２と、前記第二板部３２２を連接する第三板部３２３と、が構成されている。前記第一板部３２１、第二板部３２２、及び第三板部３２３は、それぞれ、異なる高さに位置しており、前記第三板部３２３には金属板の継ぎ目３２４が形成されている。
【００１７】
前記第一板部３２１及び第三板部３２３は、それぞれ、天板３１と平行に配置されている。また、第三板部３２３は、第一板部３２１より天板３１に近接しており、底板３２は前記継ぎ目３２４を中心として対称に配置されている。このような底板３２の形状によって、接続される相手コネクタ以外の不適当なコネクタが挿入されることを防止できる。前記第三板部３２３の幅と前記支持舌状部１２の幅とは、ほぼ同じであり、第三板部３２３は第一板部３２１及び第二板部３２２より幅が広い。底板３２の弾性片３５は、前記第三板部３２３に形成されている。第三板部３２３には、回路基板への向きに屈曲して延出する延出部（参照記号なし）が形成され、当該延出部が相手コネクタの挿入をガイドして、継ぎ目３２４が裂けることを防止できる。
【００１８】
外部シールド３の天板３１には、一対の係合孔３１１が形成されており、側板３３の後端には、それぞれ、外向きの突出部３３４が形成されている。側板３３と、天板３１及び底板３２とが連接する箇所が、絶縁ハウジング１の当接凸部１１６に当接しすることによって、外部シールド３の後向きへの移動が制限される。従って、外部シールド３が絶縁ハウジング１に組み付けられる時、外部シールド３に掛かる力が平衡状態になるので、底板３２に形成された継ぎ目３２４が裂けることを防止できる。
【００１９】
前記金属カバー４は、前記外部シールド３と分離可能に構成され、他の金属板からなり、絶縁ハウジング１を覆う本体部４１と、本体部４１の頂縁部から前向きに延在する固持片４２と、本体部４１の両側縁部から前向きに延在する係合片４３と、本体部４１の底縁部の両端から下向きに延出する第二保持脚４４を含んでいる。前記固持片４２は、絶縁ハウジング１の保持溝１１１０に収容され、保持溝１１１０に設けられる凸状リブ１１７に当接することで、金属カバー４の左右方向移動が制限される。固持片４２には、天板３１の係合孔３１１と係合するための係合部４２１が形成され、係合片４３には、前記側板３３の突出部３３４と係合するための孔４３１が形成され、これらによって、金属カバー４の後向きへの移動が制限される。
【００２０】
前記第二保持脚４４は、金属カバー４の本体部４１から直ちに延在するように形成され、本体部４１と同一平面に配置されている。このような構成によって、前記第一保持脚３３３及び第二保持脚４４が、前後方向に離間して垂直に配置され、電気コネクタ１００が回路基板に実装される時に、電気コネクタ１００の左右方向及び前後方向への移動が制限される。
【００２１】
電気コネクタ１００を組み立てる際、導電端子２は後方から絶縁ハウジング１の端子溝１２１に装着され、金属カバー４は後方から絶縁ハウジング１の後壁１１３を覆い、外部シールド３は、前方から絶縁ハウジング１に組み付けられるとともに、金属カバー４に係合される。組み立てた時に、絶縁ハウジング１の補強板１３が、外部シールド３の底板３２の底部に位置し、外部シールド３の強度が増加させている。
【００２２】
本発明の電気コネクタ１００は、外部シールド３の底板３２によって、収容空間３４の挿入口の形状が制限されているので、不適当なコネクタの挿入を防止でき、使用者にとって便利になっている。
【００２３】
以上、本発明について最良の実施の形態を参照して詳細に説明したが、実施形態はあくまでも例示的なものであり、本発明はこれらに限定されない。また上述の説明は、本発明に基づき、成しうる細部の修正或は変更など、いずれも本発明の請求範囲に属するものとする。
【符号の説明】
【００２４】
１００  電気コネクタ
１  絶縁ハウジング
１１  ベース部
１２  支持舌状部
１１０  先端壁
１１１  頂壁
１１２  側壁
１１３  後壁
１１４  貫通溝
１１６  当接凸部
１１７、１３１  凸状リブ
１１８  保持溝
１１１０  保持溝
１２１  端子溝
２  導電端子
２１  接触部
２２  保持部
２３  連接部
２４  接続部
３  外部シールド
３１  天板
３１１  係合孔
３２  底板
３２１  第一板部
３２２  第二板部
３２３  第三板部
３２４  継ぎ目
３３  側板
３３１  折曲部
３３２  平板部
３３３  第一保持脚
３３４  突出部
３４  収容空間
３５  弾性片
４  金属カバー
４１  本体部
４２  固持片
４２１  係合部
４３  係合片
４３１  孔
４４  第二保持脚
【図１】
2010129540.tif 000003
【図２】
2010129540.tif 000004
【図３】
2010129540.tif 000005
【図４】
2010129540.tif 000006
【図５】
2010129540.tif 000007